【手続補正書】
【提出日】平成24年8月30日(2012.8.30)
【手続補正１】
【補正対象書類名】明細書
【補正対象項目名】００２２
【補正方法】変更
【補正の内容】
【００２２】
図１〜４に示すように、端子保持室２４の底面（即ち、端子保持室２４の内面のうち端子収容室１１の対向壁面１５に連なるように位置する面）のうち後端部を除いた領域は、受け面２８となっている。そして、端子保持室２４の底面のうち、受け面２８の後端から端子保持部２３の後端面に至る領域は、端子金具４０の挿入方向に対し後方に向かって下り勾配となるように傾斜した誘導斜面２９となっている。つまり、受け面２８の後方（端子収容室１１に近い側）には、誘導斜面２９が連なっている。
【手続補正２】
【補正対象書類名】明細書
【補正対象項目名】００２５
【補正方法】変更
【補正の内容】
【００２５】
図５に示すように、角筒部４１の上板部には、その前端部から上方（角筒部４１の外方）へ突出した形態のスタビライザ４６が形成されている。このスタビライザ４６は、幅方向において、角筒部４１の中央からガイド突起４８と同じ方へ片寄った配置となっている。端子金具４０をキャビティ２５に挿入する際には、スタビライザ４６が、端子収容室１１の誤挿入規制溝１８内を移動するようになっている。また、端子金具４０を上下反転した不正な姿勢、又は左右に９０°傾いた不正な姿勢でキャビティ２５に挿入しようとした場合には、スタビライザ４６とガイド突起４８が、端子収容室１１の後端の開口縁と干渉することによって、端子金具４０の不正な姿勢での挿入が規制されるようになっている。
【手続補正３】
【補正対象書類名】明細書
【補正対象項目名】００２７
【補正方法】変更
【補正の内容】
【００２７】
図４，５に拡大して示すように、端子金具４０をキャビティ２５に挿入する過程では、ガイド突起４８の突出端（端子金具４０の対向外面４７からの突出寸法が最も大きい下端）の摺接点４８Ｐがガイド凹部１７の底面のうち最も低い前後方向の線状摺接部１７Ｓ上を摺接する。そして、図４に示すように、端子挿入方向と交差する上下方向（即ち、ランス１２の弾性撓み方向と概ね平行な方向）において、ガイド突起４８の摺接点４８Ｐの対向外面４７からの突出寸法（寸法公差の範囲内における最小寸法）Ｈａは、ガイド凹部１７の深さ寸法Ｄａ（寸法公差の範囲内における最大寸法）よりも大きく設定されている。ガイド突起４８の突出寸法Ｈａは、ガイド突起４８がガイド凹部１７の底面に当接している状態において、ガイド凹部１７の線状摺接部１７Ｓを基準とする対向外面４７（角筒部４１の下面）の高さ寸法と同じである。また、ガイド凹部１７の深さ寸法Ｄａは、線状摺接部１７Ｓを基準とする対向壁面１５の高さ寸法と同じである。
【手続補正４】
【補正対象書類名】明細書
【補正対象項目名】００２８
【補正方法】変更
【補正の内容】
【００２８】
同じく、上下方向において、線状摺接部１７Ｓを基準とする受け面２８の高さ寸法Ｈｂ（公差の範囲内の寸法）は、線状摺接部１７Ｓを基準とする対向外面４７の高さ寸法Ｈａ（ガイド突起４８の突出寸法）よりも低く、且つ、線状摺接部１７Ｓを基準とする対向壁面１５の高さ寸法Ｄａ（ガイド凹部１７の深さ寸法）と同じか、それよりも大きい寸法である。また、逃がし凹部３０の深さ寸法Ｄｂ（寸法交差の範囲内における最小寸法）は、ガイド突起４８の突出寸法Ｈａ（寸法公差の範囲内における最大寸法）と同じか、それよりも大きい寸法である。また、端子挿入方向と平行な前後方向において、ガイド突起４８の摺接点４８Ｐ（ガイド凹部１７の底面との接触部）から角筒部４１の前端に至る寸法Ｌａ（寸法公差の範囲内における最小寸法）は、ガイド凹部１７の前端（収容空間１４の奥端面）と受け面２８の後端との間隔Ｌｂ（寸法公差の範囲内における最大寸法）よりも大きい寸法である。また、端子収容室１１の前端（ガイド凹部１７の前端）と端子保持室２４の後端（誘導斜面２９の後端）との間には、前後方向の隙間が空いている。
【手続補正５】
【補正対象書類名】明細書
【補正対象項目名】００３０
【補正方法】変更
【補正の内容】
【００３０】
このまま端子金具４０の挿入が進み、図１に示すように、ガイド突起４８がガイド凹部１７の前端近くまで到達すると、角筒部４１の前端が、端子収容室１１の前端を通過して収容空間１４内に突出し、端子保持室２４の後端に接近する。この状態でも、ランス１２は弾性撓みしたままなので、角筒部４１は下方（対向壁面１５側）へ押圧されている。そして、図１の状態の直後に、図２，４に示すように、ガイド突起４８の摺接点４８Ｐがガイド凹部１７の底面（線状摺接部１７Ｓ）に当接したままで、角筒部４１の前端部が端子保持室２４内に進入して、角筒部４１の前端部の対向外面４７（下面）が、端子保持室２４の受け面２８の後端部に対して上から接近して対向した状態となる。このとき、線状摺接部１７Ｓを基準とする受け面２８の高さ寸法Ｈｂは、線状摺接部１７Ｓを基準とする対向外面４７の高さ寸法Ｈａよりも低いので、角筒部４１の前端は、端子保持部２３の後端面や誘導斜面２９と干渉することはない。また、ランス１２は弾性撓みしたままである。
【手続補正６】
【補正対象書類名】明細書
【補正対象項目名】００３１
【補正方法】変更
【補正の内容】
【００３１】
そして、図２，４に示す状態の直後に、ガイド突起４８がガイド凹部１７の前端から外れ、これに伴って、ランス１２の弾性復元力により角筒部４１が僅かに下方へ変位して、対向外面４７が受け面２８に当接（載置）する。この後は、対向外面４７が受け面２８上を摺接しながら、角筒部４１の前端部が端子保持室２４内に進入していく。この間、ガイド突起４８は逃がし凹部３０内に進入するのであるが、逃がし凹部３０の深さ寸法Ｄｂは、ガイド突起４８の突出寸法Ｈａと同じか、それよりも大きい寸法となっているので、対向外面４７が受け面２８に摺接する状態、即ち角筒部４１が受け面２８によって下から支持される状態が保たれる。
【手続補正７】
【補正対象書類名】明細書
【補正対象項目名】００３８
【補正方法】変更
【補正の内容】
【００３８】
＜他の実施形態＞
本発明は上記記述及び図面によって説明した実施形態に限定されるものではなく、例えば次のような実施形態も本発明の技術的範囲に含まれる。
（１）上記実施形態では、端子金具が、角筒部を前端部に配した雌形の端子である場合について説明したが、本発明は、端子金具が、角筒部の前端から細長いタブを突出させた雄形の端子である場合にも適用できる。
（２）上記実施形態では、受け面の後方に、端子金具の挿入方向に対して傾斜した誘導斜面を連ねた形成としたが、受け面の後方に誘導斜面を設けない形態としてもよい。
（３）上記実施形態では、対向壁面の前端部に、端子金具の挿入方向に対して傾斜したテーパ面を形成したが、対向壁面の前端部にテーパ面を形成しない形態としてもよい。
（４）上記実施形態では、ガイド突起を端子金具の幅方向中央位置から側方へ外れた位置に配置したが、ガイド突起は、端子金具の幅方向中央位置に配置してもよい。
（５）上記実施形態では、ガイド突起の形状が、端子金具の挿入方向及びガイド突起の突出方向の両方向に対して略直交する側方から見たときに、略半円状（弧状）をなすようにしたが、ガイド突起の側方から見た形状は、台形や三角形等、円弧部を有しない形状であってもよく、直線部と円弧部を組み合わせた形状であってもよい。
（６）上記実施形態では、ガイド突起が、端子金具の反転して不正な姿勢での挿入を防止するための逆挿入防止手段を兼ねるようにしたが、ガイド突起は、端子金具をフロント部材の受け面に確実に移行させるための専用のガイド手段であってもよい。
（７）上記実施形態では、角筒部を構成する板状部（底板部）の一部を外面側へ叩き出すことによってガイド突起を形成したが、ガイド突起は、切り起こしによって形成してもよい。
（８）上記実施形態では、端子金具の挿入方向において、ランスのうちの挿入過程の端子金具と摺接する部位（係止突起）を、対向壁面（端子収容室）の前端部と対応する位置に配したが、ランスにおける端子金具との摺接部（係止突起）は、対向壁面（端子収容室）の前端から大きく後方へずれた位置に配置してもよい。
（９）上記実施形態では、フロント部材をハウジングに組み付けた状態で、対向壁面と受け面の近傍においてフロント部材とハウジングとの間に前後方向（端子金具の挿入方向と平行な方向）に隙間が空くようにしたが、このような隙間が空かない形態としてもよい。
（１０）上記実施形態では、変位規制部をハウジングのみに形成したが、変位規制部は、フロント部材のみに形成してもよく、ハウジングとフロント部材の両方に形成してもよい。
【手続補正８】
【補正対象書類名】図面
【補正対象項目名】図１
【補正方法】変更
【補正の内容】
【図１】
2012054106.tif 000001
【手続補正９】
【補正対象書類名】図面
【補正対象項目名】図２
【補正方法】変更
【補正の内容】
【図２】
2012054106.tif 000002